(57)【要約】【課題】  スピンドルモーターの安定した駆動力の確保によるスピンドルモーターのイナーシャの一定化等を図る。【解決手段】  シート状ディスク記録媒体３００又は円板状ディスク記録媒体４００が装着されてスピンドルモーター４の駆動力によって回転されるディスクテーブル５と、ディスク記録媒体の一方の面に対向する吸着面を有するスタビライザー６と、スタビライザーに結合される結合位置とスタビライザーから離脱される離脱位置との間で移動可能とされたチャッキングキャップ７と、ディスクテーブルに保持されたマグネット２０と、チャッキングキャップに保持されディスクテーブルがチャッキングキャップに近付く方向へ移動されたときにマグネットに吸着される磁性体３２とを設け、ディスクテーブルにシート状ディスク記録媒体が装着されたときにチャッキングキャップが結合位置に保持され、ディスクテーブルに円板状ディスク記録媒体が装着されたときにチャッキングキャップが離脱位置に保持されるようにした。【選択図】        図１３
2011123933.tif 000002
【特許請求の範囲】
【請求項１】
駆動源として設けられたスピンドルモーターと、
前記スピンドルモーターのモーター軸に固定されシート状ディスク記録媒体又は該シート状ディスク記録媒体より厚みが厚い円板状ディスク記録媒体が装着されて前記スピンドルモーターの駆動力によって回転されると共に前記ディスク記録媒体の中心軸方向へ前記スピンドルモーターと一体になって移動されるディスクテーブルと、
前記ディスクテーブルに装着された前記ディスク記録媒体の一方の面に対向する吸着面を有し前記ディスクテーブルの回転に伴って回転可能とされたスタビライザーと、
前記スタビライザーに結合されて前記スタビライザー及び前記ディスクテーブルと一体となって回転される結合位置と前記スタビライザーから離脱され前記ディスクテーブルと一体になって回転される離脱位置との間で前記ディスク記録媒体の中心軸方向へ移動可能とされたチャッキングキャップと、
前記ディスクテーブル又は前記チャッキングキャップの一方に保持されたマグネットと、
前記ディスクテーブル又は前記チャッキングキャップの他方に保持され前記ディスクテーブルが前記中心軸方向において前記チャッキングキャップに近付く方向へ移動されたときに前記マグネットに吸着される磁性体とを備え、
前記ディスクテーブルが前記中心軸方向において前記チャッキングキャップに近付く方向へ移動されて前記チャッキングキャップと前記ディスクテーブルによって前記ディスクテーブルに装着された前記ディスク記録媒体が挟持されて保持され、
前記ディスクテーブルに前記シート状ディスク記録媒体が装着されたときに前記チャッキングキャップが前記結合位置に保持され、
前記ディスクテーブルに前記円板状ディスク記録媒体が装着されたときに前記チャッキングキャップが前記離脱位置に保持されるようにした
ディスクチャッキング機構。
【請求項２】
前記中心軸方向へ移動可能とされ前記チャッキングキャップを前記結合位置から前記離脱位置へ向けて押圧する押圧ピンを設けた
請求項１に記載のディスクチャッキング機構。
【請求項３】
前記チャッキングキャップに保持された前記マグネット又は前記磁性体が前記中心軸方向において第１の保持位置と該第１の保持位置より前記ディスクテーブルに近付く第２の保持位置との間で移動可能とされ、
前記ディスクテーブルに前記シート状ディスク記録媒体が装着されたときに前記マグネット又は前記磁性体が前記第１の保持位置に保持され、
前記ディスクテーブルに前記円板状ディスク記録媒体が装着されたときに前記マグネット又は前記磁性体が前記第２の保持位置に保持されるようにした
請求項１に記載のディスクチャッキング機構。
【請求項４】
前記中心軸方向へ移動可能とされ前記チャッキングキャップに保持された前記マグネット又は前記磁性体を前記第１の保持位置から前記第２の保持位置へ向けて押圧する押圧ピンを設けた
請求項３に記載のディスクチャッキング機構。
【請求項５】
前記チャッキングキャップに保持された前記マグネット又は前記磁性体の前記第１の保持位置から前記第２の保持位置への移動と前記チャッキングキャップの前記結合位置から前記離脱位置への移動とが連続して行われるようにした
請求項３に記載のディスクチャッキング機構。
【請求項６】
前記チャッキングキャップに保持された前記マグネット又は前記磁性体が前記ディスクテーブルに押圧されて前記チャッキングキャップが前記離脱位置から前記結合位置に移動されるようにした
請求項１に記載のディスクチャッキング機構。
【請求項７】
前記ディスク記録媒体の前記ディスクテーブルからの装着が解除された状態において、前記ディスクテーブルが前記中心軸方向において前記チャッキングキャップに接近する方向へ移動したときに前記チャッキングキャップに保持された前記マグネット又は前記磁性体が前記ディスクテーブルに押圧されて前記第２の保持位置から前記第１の保持位置に移動されるようにした
請求項３に記載のディスクチャッキング機構。
【請求項８】
前記チャッキングキャップに保持された前記マグネット又は前記磁性体の前記第２の保持位置から前記第１の保持位置への移動と前記チャッキングキャップの前記離脱位置から前記結合位置への移動とが連続して行われるようにした
請求項７に記載のディスクチャッキング機構。
【請求項９】
シート状ディスク記録媒体と該シート状ディスク記録媒体より厚みが厚い円板状ディスク記録媒体とを選択的に搬送するディスク搬送機構と、
ディスク搬送機構によって搬送されたシート状ディスク記録媒体又は円板状ディスク記録媒体をチャッキングするディスクチャッキング機構とを備え、
前記ディスクチャッキング機構は、
駆動源として設けられたスピンドルモーターと、
前記スピンドルモーターのモーター軸に固定されシート状ディスク記録媒体又は該シート状ディスク記録媒体より厚みが厚い円板状ディスク記録媒体が装着されて前記スピンドルモーターの駆動力によって回転されると共に前記ディスク記録媒体の中心軸方向へ前記スピンドルモーターと一体になって移動されるディスクテーブルと、
前記ディスクテーブルに装着された前記ディスク記録媒体の一方の面に対向する吸着面を有し前記ディスクテーブルの回転に伴って回転可能とされたスタビライザーと、
前記スタビライザーに結合されて前記スタビライザー及び前記ディスクテーブルと一体となって回転される結合位置と前記スタビライザーから離脱され前記ディスクテーブルと一体になって回転される離脱位置との間で前記ディスク記録媒体の中心軸方向へ移動可能とされたチャッキングキャップと、
前記ディスクテーブル又は前記チャッキングキャップの一方に保持されたマグネットと、
前記ディスクテーブル又は前記チャッキングキャップの他方に保持され前記ディスクテーブルが前記中心軸方向において前記チャッキングキャップに近付く方向へ移動されたときに前記マグネットに吸着される磁性体とを備え、
前記ディスクテーブルが前記中心軸方向において前記チャッキングキャップに近付く方向へ移動されて前記チャッキングキャップと前記ディスクテーブルによって前記ディスクテーブルに装着された前記ディスク記録媒体が挟持されて保持され、
前記ディスクテーブルに前記シート状ディスク記録媒体が装着されたときに前記チャッキングキャップが前記結合位置に保持され、
前記ディスクテーブルに前記円板状ディスク記録媒体が装着されたときに前記チャッキングキャップが前記離脱位置に保持されるようにした
ディスクドライブ装置。
【発明の詳細な説明】
【技術分野】
【０００１】
本発明はディスクチャッキング機構及びディスクドライブ装置についての技術分野に関する。詳しくは、ディスクテーブルに装着されるディスク記録媒体の厚みに応じてスタビライザーに対してチャッキングキャップを着脱してスピンドルモーターの安定した駆動力の確保によるスピンドルモーターのイナーシャの一定化等を図る技術分野に関する。
【背景技術】
【０００２】
ディスクドライブ装置には、ディスク記録媒体として厚みの薄いシート状ディスク記録媒体が用いられ、該シート状ディスク記録媒体に対する情報信号の記録や再生を行うことが可能とされたものがある（例えば、特許文献１参照）。
【０００３】
このようなシート状ディスク記録媒体に対する情報信号の記録や再生を行うディスクドライブ装置には、シート状ディスク記録媒体の回転時における面ぶれの発生を防止するために、スタビライザー（浮上安定円板）が設けられている。
【０００４】
スタビライザーはシート状ディスク記録媒体と略同じ大きさの略円板状に形成され、内周部に負圧を発生するための複数の空気孔を有し、一方の面が吸着面とされている。
【０００５】
シート状ディスク記録媒体に対する情報信号の記録時及び再生時には、ディスクテーブルに装着されたシート状ディスク記録媒体がチャッキングキャップとディスクテーブルによって挟持されてチャッキングされる。
【０００６】
このようにシート状ディスク記録媒体がチャッキングされた状態において、チャッキングキャップに取り付けられたスタビライザーは吸着面がシート状ディスク記録媒体に近接した状態で回転される。ディスクテーブルの回転に伴ってチャッキングキャップとスタビライザーとシート状ディスク記録媒体が回転されると、回転によってスタビライザーの空気孔に空気が流入し吸着面とシート状ディスク記録媒体の間に内周側から外周側へ向かう空気の流れによる負圧が発生する。シート状ディスク記録媒体は発生した負圧によってスタビライザー側に僅かな隙間を介して吸着された状態とされ、面ぶれを生じることなくスタビライザーとともに回転される。
【０００７】
【特許文献１】特開２００８−１５９１１８号公報
【発明の開示】
【発明が解決しようとする課題】
【０００８】
ところで、上記のようなディスクドライブ装置においては、シート状ディスク記録媒体の他に、現在一般的に使用されている厚みが約１．２ｍｍとされたＣＤ（Compact Disc）、ＤＶＤ（Digital Versatile Disc） 、ブルーレイディスク（Blu-ray Disc）等の円板状ディスク記録媒体の使用を可能とし、シート状ディスク記録媒体と円板状ディスク記録媒体の互換性を有することが望まれる。円板状ディスク記録媒体はシート状ディスク記録媒体に対して厚みが厚いため、その重量もシート状ディスク記録媒体に比して大きい。
【０００９】
ところが、このような互換性を有するディスクドライブ装置において円板状ディスク記録媒体に対する情報信号の記録や再生を行うときにディスクテーブルの回転に伴ってスタビライザーが回転してしまうと、シート状ディスク記録媒体に対して重量の大きな円板状ディスク記録媒体に加えてスタビライザーの重量がスピンドルモーターに付加として付与され、その分、スピンドルモーターに対する負荷が大きくなりイナーシャが増大してしまう。
【００１０】
スピンドルモーターに対する負荷が大きくなると、円板状ディスク記録媒体の回転時において振動が発生したり、高速回転に支障を来たすことになる。
【００１１】
また、シート状ディスク記録媒体に対する情報信号の記録再生時と円板状ディスク記録媒体に対する情報信号の記録再生時とにおいてスピンドルモーターに対する負荷が異なってしまうと、シート状ディスク記録媒体と円板状ディスク記録媒体に対するサーボ制御において、サーボ定数の設定値を変更する等の各別の制御を行う必要が生じ、設計が煩雑となってしまう。
【００１２】
そこで、本発明ディスクチャッキング機構及びディスクドライブ装置は、上記した問題点を克服し、チャッキングされたディスク記録媒体によらずに、スピンドルモーターの安定した駆動力の確保によるスピンドルモーターのイナーシャの一定化等を図ることを課題とする。
【課題を解決するための手段】
【００１３】
ディスクチャッキング機構は、上記した課題を解決するために、駆動源として設けられたスピンドルモーターと、前記スピンドルモーターのモーター軸に固定されシート状ディスク記録媒体又は該シート状ディスク記録媒体より厚みが厚い円板状ディスク記録媒体が装着されて前記スピンドルモーターの駆動力によって回転されると共に前記ディスク記録媒体の中心軸方向へ前記スピンドルモーターと一体になって移動されるディスクテーブルと、前記ディスクテーブルに装着された前記ディスク記録媒体の一方の面に対向する吸着面を有し前記ディスクテーブルの回転に伴って回転可能とされたスタビライザーと、前記スタビライザーに結合されて前記スタビライザー及び前記ディスクテーブルと一体となって回転される結合位置と前記スタビライザーから離脱され前記ディスクテーブルと一体になって回転される離脱位置との間で前記ディスク記録媒体の中心軸方向へ移動可能とされたチャッキングキャップと、前記ディスクテーブル又は前記チャッキングキャップの一方に保持されたマグネットと、前記ディスクテーブル又は前記チャッキングキャップの他方に保持され前記ディスクテーブルが前記中心軸方向において前記チャッキングキャップに近付く方向へ移動されたときに前記マグネットに吸着される磁性体とを備え、前記ディスクテーブルが前記中心軸方向において前記チャッキングキャップに近付く方向へ移動されて前記チャッキングキャップと前記ディスクテーブルによって前記ディスクテーブルに装着された前記ディスク記録媒体が挟持されて保持され、前記ディスクテーブルに前記シート状ディスク記録媒体が装着されたときに前記チャッキングキャップが前記結合位置に保持され、前記ディスクテーブルに前記円板状ディスク記録媒体が装着されたときに前記チャッキングキャップが前記離脱位置に保持されるようにしたものである。
【００１４】
従って、チャッキング機構にあっては、シート状ディスク記録媒体がチャッキングされたときにはスタビライザーがシート状ディスク記録媒体と一体になって回転され、円板状ディスク記録媒体がチャッキングされたときにはスタビライザーが回転されることなく円板状ディスク記録媒体が回転される。
【００１５】
上記したディスクチャッキング機構においては、前記中心軸方向へ移動可能とされ前記チャッキングキャップを前記結合位置から前記離脱位置へ向けて押圧する押圧ピンを設けることが望ましい。
【００１６】
チャッキングキャップを結合位置から離脱位置へ向けて押圧する押圧ピンを設けることにより、押圧ピンによる押圧によってチャッキングキャップが結合位置から離脱位置へ向けて移動されてスタビライザーから離脱される。
【００１７】
上記したディスクチャッキング機構においては、前記チャッキングキャップに保持された前記マグネット又は前記磁性体が前記中心軸方向において第１の保持位置と該第１の保持位置より前記ディスクテーブルに近付く第２の保持位置との間で移動可能とされ、前記ディスクテーブルに前記シート状ディスク記録媒体が装着されたときに前記マグネット又は前記磁性体が前記第１の保持位置に保持され、前記ディスクテーブルに前記円板状ディスク記録媒体が装着されたときに前記マグネット又は前記磁性体が前記第２の保持位置に保持されるようにすることが望ましい。
【００１８】
ディスクテーブルにシート状ディスク記録媒体が装着されたときに磁性体又はマグネットが第１の保持位置に保持され、ディスクテーブルに円板状ディスク記録媒体が装着されたときに磁性体又はマグネットが前記第２の保持位置に保持されるようにすることにより、シート状ディスク記録媒体に対するチャッキングと円板状ディスク記録媒体に対するチャッキングとを同一の保持力によって行うことが可能になる。
【００１９】
上記したディスクチャッキング機構においては、前記中心軸方向へ移動可能とされ前記チャッキングキャップに保持された前記マグネット又は前記磁性体を前記第１の保持位置から前記第２の保持位置へ向けて押圧する押圧ピンを設けることが望ましい。
【００２０】
磁性体又はマグネットを第１の保持位置から第２の保持位置へ向けて押圧する押圧ピンを設けることにより、押圧ピンによる押圧によって磁性体又はマグネットが第１の保持位置から第２の保持位置へ移動されて保持される。
【００２１】
上記したディスクチャッキング機構においては、前記チャッキングキャップに保持された前記マグネット又は前記磁性体の前記第１の保持位置から前記第２の保持位置への移動と前記チャッキングキャップの前記結合位置から前記離脱位置への移動とが連続して行われるようにすることが望ましい。
【００２２】
磁性体又はマグネットの第１の保持位置から第２の保持位置への移動とチャッキングキャップの結合位置から離脱位置への移動とが連続して行われるようにすることにより、動作時間が短縮化される。
【００２３】
上記したディスクチャッキング機構においては、前記チャッキングキャップに保持された前記マグネット又は前記磁性体が前記ディスクテーブルに押圧されて前記チャッキングキャップが前記離脱位置から前記結合位置に移動されるようにすることが望ましい。
【００２４】
磁性体又はマグネットがディスクテーブルに押圧されてチャッキングキャップが離脱位置から結合位置に移動されるようにすることにより、チャッキングキャップをスタビライザーに結合するための専用の機構を必要としない。
【００２５】
上記したディスクチャッキング機構においては、前記ディスク記録媒体の前記ディスクテーブルからの装着が解除された状態において、前記ディスクテーブルが前記中心軸方向において前記チャッキングキャップに接近する方向へ移動したときに前記チャッキングキャップに保持された前記マグネット又は前記磁性体が前記ディスクテーブルに押圧されて前記第２の保持位置から前記第１の保持位置に移動されるようにすることが望ましい。
【００２６】
磁性体又はマグネットがディスクテーブルに押圧されて第２の保持位置から第１の保持位置に移動されるようにすることにより、磁性体又はマグネットを第２の保持位置から第１の保持位置に移動するための専用の機構を必要としない。
【００２７】
上記したディスクチャッキング機構においては、前記チャッキングキャップに保持された前記マグネット又は前記磁性体の前記第２の保持位置から前記第１の保持位置への移動と前記チャッキングキャップの前記離脱位置から前記結合位置への移動とが連続して行われるようにすることが望ましい。
【００２８】
マグネット又は磁性体の第２の保持位置から第１の保持位置への移動とチャッキングキャップの離脱位置から結合位置への移動とが連続して行われるようにすることにより、動作時間が短縮化される。
【００２９】
ディスクドライブ装置は、上記した課題を解決するために、シート状ディスク記録媒体と該シート状ディスク記録媒体より厚みが厚い円板状ディスク記録媒体とを選択的に搬送するディスク搬送機構と、ディスク搬送機構によって搬送されたシート状ディスク記録媒体又は円板状ディスク記録媒体をチャッキングするディスクチャッキング機構とを備え、駆動源として設けられたスピンドルモーターと、前記スピンドルモーターのモーター軸に固定されシート状ディスク記録媒体又は該シート状ディスク記録媒体より厚みが厚い円板状ディスク記録媒体が装着されて前記スピンドルモーターの駆動力によって回転されると共に前記ディスク記録媒体の中心軸方向へ前記スピンドルモーターと一体になって移動されるディスクテーブルと、前記ディスクテーブルに装着された前記ディスク記録媒体の一方の面に対向する吸着面を有し前記ディスクテーブルの回転に伴って回転可能とされたスタビライザーと、前記スタビライザーに結合されて前記スタビライザー及び前記ディスクテーブルと一体となって回転される結合位置と前記スタビライザーから離脱され前記ディスクテーブルと一体になって回転される離脱位置との間で前記ディスク記録媒体の中心軸方向へ移動可能とされたチャッキングキャップと、前記ディスクテーブル又は前記チャッキングキャップの一方に保持されたマグネットと、前記ディスクテーブル又は前記チャッキングキャップの他方に保持され前記ディスクテーブルが前記中心軸方向において前記チャッキングキャップに近付く方向へ移動されたときに前記マグネットに吸着される磁性体とを備え、前記ディスクテーブルが前記中心軸方向において前記チャッキングキャップに近付く方向へ移動されて前記チャッキングキャップと前記ディスクテーブルによって前記ディスクテーブルに装着された前記ディスク記録媒体が挟持されて保持され、前記ディスクテーブルに前記シート状ディスク記録媒体が装着されたときに前記チャッキングキャップが前記結合位置に保持され、前記ディスクテーブルに前記円板状ディスク記録媒体が装着されたときに前記チャッキングキャップが前記離脱位置に保持されるようにしたものである。
【００３０】
従って、ディスクドライブ装置にあっては、シート状ディスク記録媒体がチャッキングされたときにはスタビライザーがシート状ディスク記録媒体と一体になって回転され、円板状ディスク記録媒体がチャッキングされたときにはスタビライザーが回転されることなく円板状ディスク記録媒体が回転される。
【発明の効果】
【００３１】
本発明ディスクチャッキング機構は、駆動源として設けられたスピンドルモーターと、前記スピンドルモーターのモーター軸に固定されシート状ディスク記録媒体又は該シート状ディスク記録媒体より厚みが厚い円板状ディスク記録媒体が装着されて前記スピンドルモーターの駆動力によって回転されると共に前記ディスク記録媒体の中心軸方向へ前記スピンドルモーターと一体になって移動されるディスクテーブルと、前記ディスクテーブルに装着された前記ディスク記録媒体の一方の面に対向する吸着面を有し前記ディスクテーブルの回転に伴って回転可能とされたスタビライザーと、前記スタビライザーに結合されて前記スタビライザー及び前記ディスクテーブルと一体となって回転される結合位置と前記スタビライザーから離脱され前記ディスクテーブルと一体になって回転される離脱位置との間で前記ディスク記録媒体の中心軸方向へ移動可能とされたチャッキングキャップと、前記ディスクテーブル又は前記チャッキングキャップの一方に保持されたマグネットと、前記ディスクテーブル又は前記チャッキングキャップの他方に保持され前記ディスクテーブルが前記中心軸方向において前記チャッキングキャップに近付く方向へ移動されたときに前記マグネットに吸着される磁性体とを備え、前記ディスクテーブルが前記中心軸方向において前記チャッキングキャップに近付く方向へ移動されて前記チャッキングキャップと前記ディスクテーブルによって前記ディスクテーブルに装着された前記ディスク記録媒体が挟持されて保持され、前記ディスクテーブルに前記シート状ディスク記録媒体が装着されたときに前記チャッキングキャップが前記結合位置に保持され、前記ディスクテーブルに前記円板状ディスク記録媒体が装着されたときに前記チャッキングキャップが前記離脱位置に保持されるようにしている。
【００３２】
従って、円板状ディスク記録媒体の回転時にはスタビライザーが回転されず、円板状ディスク記録媒体の回転時におけるスピンドルモーターに対する負荷が大きくならずイナーシャの増大を回避することができ、チャッキングされたディスク記録媒体によらずに、スピンドルモーターの安定した駆動力の確保によるスピンドルモーターのイナーシャの一定化を図ることができる。
【００３３】
請求項２に記載した発明にあっては、前記中心軸方向へ移動可能とされ前記チャッキングキャップを前記結合位置から前記離脱位置へ向けて押圧する押圧ピンを設けている。
【００３４】
従って、機構の簡素化を図ることができる。
【００３５】
請求項３に記載した発明にあっては、前記チャッキングキャップに保持された前記マグネット又は前記磁性体が前記中心軸方向において第１の保持位置と該第１の保持位置より前記ディスクテーブルに近付く第２の保持位置との間で移動可能とされ、前記ディスクテーブルに前記シート状ディスク記録媒体が装着されたときに前記マグネット又は前記磁性体が前記第１の保持位置に保持され、前記ディスクテーブルに前記円板状ディスク記録媒体が装着されたときに前記マグネット又は前記磁性体が前記第２の保持位置に保持されるようにしている。
【００３６】
従って、ディスクテーブルとチャッキングキャップによるシート状ディスク記録媒体に対するチャッキングと円板状ディスク記録媒体に対するチャッキングとを同一の保持力によって行うことが可能になり、シート状ディスク記録媒体と円板状ディスク記録媒体のチャッキングを適正に行うことができる。
【００３７】
請求項４に記載した発明にあっては、前記中心軸方向へ移動可能とされ前記チャッキングキャップに保持された前記マグネット又は前記磁性体を前記第１の保持位置から前記第２の保持位置へ向けて押圧する押圧ピンを設けている。
【００３８】
従って、機構の簡素化を図ることができる。
【００３９】
請求項５に記載した発明にあっては、前記チャッキングキャップに保持された前記マグネット又は前記磁性体の前記第１の保持位置から前記第２の保持位置への移動と前記チャッキングキャップの前記結合位置から前記離脱位置への移動とが連続して行われるようにしている。
【００４０】
従って、動作の迅速化及び機構の簡素化を図ることができる。
【００４１】
請求項６に記載した発明にあっては、前記チャッキングキャップに保持された前記マグネット又は前記磁性体が前記ディスクテーブルに押圧されて前記チャッキングキャップが前記離脱位置から前記結合位置に移動されるようにしている。
【００４２】
従って、チャッキングキャップをスタビライザーに結合するための専用の機構を必要とせず、機構の簡素化を図ることができる。
【００４３】
請求項７に記載した発明にあっては、前記ディスク記録媒体の前記ディスクテーブルからの装着が解除された状態において、前記ディスクテーブルが前記中心軸方向において前記チャッキングキャップに接近する方向へ移動したときに前記チャッキングキャップに保持された前記マグネット又は前記磁性体が前記ディスクテーブルに押圧されて前記第２の保持位置から前記第１の保持位置に移動されるようにしている。
【００４４】
従って、磁性体又はマグネットを第２の保持位置から第１の保持位置に移動するための専用の機構を必要とせず、機構の簡素化を図ることができる。
【００４５】
請求項８に記載した発明にあっては、前記チャッキングキャップに保持された前記マグネット又は前記磁性体の前記第２の保持位置から前記第１の保持位置への移動と前記チャッキングキャップの前記離脱位置から前記結合位置への移動とが連続して行われるようにしている。
【００４６】
従って、動作の迅速化及び機構の簡素化を図ることができる。
【００４７】
本発明ディスクドライブ装置は、シート状ディスク記録媒体と該シート状ディスク記録媒体より厚みが厚い円板状ディスク記録媒体とを選択的に搬送するディスク搬送機構と、ディスク搬送機構によって搬送されたシート状ディスク記録媒体又は円板状ディスク記録媒体をチャッキングするディスクチャッキング機構とを備え、前記ディスクチャッキング機構は、駆動源として設けられたスピンドルモーターと、前記スピンドルモーターのモーター軸に固定されシート状ディスク記録媒体又は該シート状ディスク記録媒体より厚みが厚い円板状ディスク記録媒体が装着されて前記スピンドルモーターの駆動力によって回転されると共に前記ディスク記録媒体の中心軸方向へ前記スピンドルモーターと一体になって移動されるディスクテーブルと、前記ディスクテーブルに装着された前記ディスク記録媒体の一方の面に対向する吸着面を有し前記ディスクテーブルの回転に伴って回転可能とされたスタビライザーと、前記スタビライザーに結合されて前記スタビライザー及び前記ディスクテーブルと一体となって回転される結合位置と前記スタビライザーから離脱され前記ディスクテーブルと一体になって回転される離脱位置との間で前記ディスク記録媒体の中心軸方向へ移動可能とされたチャッキングキャップと、前記ディスクテーブル又は前記チャッキングキャップの一方に保持されたマグネットと、前記ディスクテーブル又は前記チャッキングキャップの他方に保持され前記ディスクテーブルが前記中心軸方向において前記チャッキングキャップに近付く方向へ移動されたときに前記マグネットに吸着される磁性体とを備え、前記ディスクテーブルが前記中心軸方向において前記チャッキングキャップに近付く方向へ移動されて前記チャッキングキャップと前記ディスクテーブルによって前記ディスクテーブルに装着された前記ディスク記録媒体が挟持されて保持され、前記ディスクテーブルに前記シート状ディスク記録媒体が装着されたときに前記チャッキングキャップが前記結合位置に保持され、前記ディスクテーブルに前記円板状ディスク記録媒体が装着されたときに前記チャッキングキャップが前記離脱位置に保持されるようにしている。
【００４８】
従って、円板状ディスク記録媒体の回転時にはスタビライザーが回転されず、円板状ディスク記録媒体の回転時におけるスピンドルモーターに対する負荷が大きくならずイナーシャの増大を回避することができ、チャッキングされたディスク記録媒体によらずに、スピンドルモーターの安定した駆動力の確保によるスピンドルモーターのイナーシャの一定化を図ることができる。
【発明を実施するための最良の形態】
【００４９】
以下に、本発明を実施するための最良の形態を添付図面に従って説明する。
【００５０】
以下に示す最良の形態は、本発明ディスクドライブ装置をディスクカートリッジに収納された複数のディスク記録媒体から所望のディスク記録媒体を選択して取り出し情報信号の記録や再生を行うことが可能なディスクチェンジャーに適用したものである。また、以下に示す最良の形態は、本発明ディスクチャッキング機構を上記したディスクチェンジャーに設けられたディスクチャッキング機構に適用したものである。
【００５１】
尚、本発明ディスクドライブ装置及びディスクチャッキング機構の適用範囲は、ディスクチェンジャー及びこれに設けられたディスクチャッキング機構に限られることはなく、一枚のディスク記録媒体を挿入して情報信号の記録や再生を行うディスクドライブ装置及びこれに備えられたディスクチャッキング機構等の各種のディスクドライブ装置及びこれに備えられたディスクチャッキング機構に適用することができる。
【００５２】
以下の説明においては、説明の便宜上、ディスクカートリッジをディスクドライブ装置に対して挿入する方向を後方とし、ディスクカートリッジをディスクドライブ装置から排出する方向を前方とする。
【００５３】
尚、以下に示す上下前後左右の方向は、説明の便宜上示すものであり、本発明はこれらの方向に限定して適用されることはない。
【００５４】
＜ディスクドライブ装置の概略構成＞
ディスクドライブ装置１は、図１に示すように、外筐２の内部に所要の各部が配置されて成る。外筐２は、例えば、前後方向に長い直方体状に形成されている。
【００５５】
外筐２には第１のディスクカートリッジ１００又は第２のディスクカートリッジ２００が装着される前方に開口されたカートリッジ装着部２ａが形成されている。カートリッジ装着部２ａにはセンサー等を有する図示しない読取部が設けられている。
【００５６】
第１のディスクカートリッジ１００には複数のシート状ディスク記録媒体３００、３００、・・・が収納可能とされ、第２のディスクカートリッジ２００には複数の円板状ディスク記録媒体４００、４００、・・・が収納可能とされている。
【００５７】
外筐２にはカートリッジ装着部２ａの開口を開閉するシャッター３が回動自在に支持されている。
【００５８】
外筐２の前面には複数の操作部２ｂ、２ｂ、・・・と表示部２ｃ、２ｃが設けられている。操作部２ｂ、２ｂ、・・・としては、例えば、再生釦、記録釦、停止釦、ディスクチェンジ釦、イジェクト釦、電源釦等が設けられている。表示部２ｃ、２ｃには、例えば、再生や記録が行われるディスク記録媒体の種類や第１のディスクカートリッジ１００又は第２のディスクカートリッジ２００に対するシート状ディスク記録媒体３００又は円板状ディスク記録媒体４００の収納位置等が表示される。
【００５９】
第１のディスクカートリッジ１００と第２のディスクカートリッジ２００には、それぞれ図示しない認識部が設けられている。認識部としては、例えば、認識用の穴、認識用の切欠、バーコード、ＲＦＩＤ（Radio Frequency Identification）等が用いられている。
【００６０】
第１のディスクカートリッジ１００又は第２のディスクカートリッジ２００がカートリッジ装着部２ａに挿入されて装着されると、読取部によって第１のディスクカートリッジ１００又は第２のディスクカートリッジ２００の認識部の情報が読み取られる。
【００６１】
読取部によって読み取られた認識部の情報に基づいて、第１のディスクカートリッジ１００又は第２のディスクカートリッジ２００の何れがカートリッジ装着部２ａに装着されたかが表示される。
【００６２】
外筐２の内部における前端側にはカートリッジ装着部２ａの下方にカートリッジ昇降機構５００が配置されている。カートリッジ装着部２ａに装着された第１のディスクカートリッジ１００と第２のディスクカートリッジ２００はカートリッジ昇降機構５００によって上下方向へ移動される。
【００６３】
第１のディスクカートリッジ１００又は第２のディスクカートリッジ２００がカートリッジ昇降機構５００によって上下方向へ移動されることにより、収納されている何れかのシート状ディスク記録媒体３００又は円板状ディスク記録媒体４００が取出位置に移動される。
【００６４】
外筐２の内部における後端側にはディスクチャッキング機構６００が配置されている。
【００６５】
外筐２の内部にはカートリッジ昇降機構５００の後側にディスク搬送機構７００が配置されている。
【００６６】
ディスクドライブ装置１において、カートリッジ昇降機構５００によって上下方向へ移動された第１のディスクカートリッジ１００又は第２のディスクカートリッジ２００から上記した取出位置に移動されたシート状ディスク記録媒体３００又は円板状ディスク記録媒体４００がディスク搬送機構７００によって取り出される。ディスク搬送機構７００によって取り出されたシート状ディスク記録媒体３００又は円板状ディスク記録媒体４００は、ディスク搬送機構７００によって後方へ搬送されてディスクチャッキング機構６００によってチャッキングされる。
【００６７】
情報信号の記録又は再生が終了したシート状ディスク記録媒体３００又は円板状ディスク記録媒体４００は、ディスク搬送機構７００によって保持されて前方へ搬送され、再び、第１のディスクカートリッジ１００又は第２のディスクカートリッジ２００に収納される。
【００６８】
＜ディスクカートリッジの構成＞
第１のディスクカートリッジ１００は、後方に開口された収納ケース１０１に所要の各部が配置されて成る（図２参照）。第１のディスクカートリッジ１００には、厚みが、例えば、０．２ｍｍ乃至０．４ｍｍ程度のシート状ディスク記録媒体３００、３００、・・・が収納される。
【００６９】
収納ケース１０１は側面部１０２、１０２と天面部１０３と底面部１０４とを有し、前面部が蓋部１０５として設けられ回動可能とされている。蓋部１０５を回動して開放することにより、シート状ディスク記録媒体３００、３００、・・・の収納ケース１０１に対する収納及び取出を行うことができる。
【００７０】
収納ケース１０１の側面部１０２、１０２には、それぞれ内面側に開口された保持溝１０２ａ、１０２ａ、・・・が上下に等間隔に離隔して形成されている。保持溝１０２ａ、１０２ａ、・・・のピッチＰ１は、例えば、０．７ｍｍとされ、保持溝１０２ａ、１０２ａ、・・・は側面部１０２、１０２に、例えば、九つずつが形成されている。
【００７１】
保持溝１０２ａ、１０２ａ、・・・は、例えば、最も下側に位置する番地が０番地とされ、上方へ向けて１番地、２番地、・・・とされ、最も上側に位置する番地が８番地とされている。左側の側面部１０２と右側の側面部１０２に形成された同一の番地の保持溝１０２ａ、１０２ａ、・・・は、それぞれ同一の高さに形成されている。
【００７２】
第２のディスクカートリッジ２００は、後方に開口された収納ケース２０１に所要の各部が配置されて成る（図３参照）。第２のディスクカートリッジ２００には、厚みが約１．２ｍｍの円板状ディスク記録媒体４００、４００、・・・が収納される。
【００７３】
収納ケース２０１は側面部２０２、２０２と天面部２０３と底面部２０４とを有し、前面部が開閉蓋２０５として設けられ回動可能とされている。開閉蓋２０５を回動して開放することにより、円板状ディスク記録媒体４００、４００、・・・の収納ケース２０１に対する収納及び取出を行うことができる。
【００７４】
収納ケース２０１の側面部２０２、２０２には、それぞれ内面側に開口された保持溝２０２ａ、２０２ａ、・・・が上下に等間隔に離隔して形成されている。保持溝２０２ａ、２０２ａ、・・・のピッチＰ２は、例えば、２．１ｍｍとされ、保持溝２０２ａ、２０２ａ、・・・は側面部２０２、２０２に、例えば、三つずつが形成されている。
【００７５】
保持溝２０２ａ、２０２ａ、・・・は、例えば、最も下側に位置する番地が０番地とされ、その上側に位置する番地が２番地とされ、最も上側に位置する番地が３番地とされている。左側の側面部２０２と右側の側面部２０２に形成された同一の番地の保持溝２０２ａ、２０２ａ、・・・は、それぞれ同一の高さに形成されている。
【００７６】
シート状ディスク記録媒体３００、３００、・・・はそれぞれディスクトレイ３０１、３０１、・・・に装着されて装填され保護シート３０２、３０２、・・・に覆われた状態で第１のディスクカートリッジ１００に収納される（図２参照）。
【００７７】
ディスクトレイ３０１は厚みが第１のディスクカートリッジ１００に形成された保持溝１０２ａの上下方向における幅より小さくされている。シート状ディスク記録媒体３００とディスクトレイ３０１と保護シート３０２の合計した厚みは、保持溝１０２ａ、１０２ａ、・・・のピッチＰ１より小さくされている。
【００７８】
シート状ディスク記録媒体３００はディスクトレイ３０１の左右両側部がそれぞれ保持溝１０２ａ、１０２ａに挿入されて保持されることにより第１のディスクカートリッジ１００に収納される。
【００７９】
円板状ディスク記録媒体４００、４００、・・・はそれぞれディスクトレイ４０１、４０１、・・・に装着されて装填され第２のディスクカートリッジ２００に収納される（図３参照）。
【００８０】
ディスクトレイ４０１は厚みが第２のディスクカートリッジ２００に形成された保持溝２０２ａの上下方向における幅より小さくされている。円板状ディスク記録媒体４００とディスクトレイ４０１の合計した厚みは、保持溝２０２ａ、２０２ａ、・・・のピッチＰ２より小さくされている。
【００８１】
円板状ディスク記録媒体４００はディスクトレイ４０１の左右両側部がそれぞれ保持溝２０２ａ、２０２ａに挿入されて保持されることにより第２のディスクカートリッジ２００に収納される。
【００８２】
円板状ディスク記録媒体４００はディスクトレイ４０１に装着された状態において、例えば、ディスクトレイ４０１に設けられた図示しない複数のリブによって位置決めされる。
【００８３】
第１のディスクカートリッジ１００と第２のディスクカートリッジ２００は外形状が同じにされ、内部空間における上下方向の幅、前後方向の幅及び左右方向の幅も同じにされている。
【００８４】
第１のディスクカートリッジ１００に収納されたシート状ディスク記録媒体３００、３００、・・・と第２のディスクカートリッジ２００に収納された円板状ディスク記録媒体４００、４００、・・・はディスク搬送機構７００によって取り出され、ディスクチャッキング機構６００によってチャッキングされるディスク装着位置まで搬送される。
【００８５】
また、情報信号の記録又は再生が終了したシート状ディスク記録媒体３００と円板状ディスク記録媒体４００は、ディスク搬送機構７００によってディスク装着位置から搬送されて第１のディスクカートリッジ１００又は第２のディスクカートリッジ２００に収納される。
【００８６】
上記したように、第１のディスクカートリッジ１００に形成された保持溝１０２ａ、１０２ａ、・・・のピッチをＰ１とし、第２のディスクカートリッジ２００に形成された保持溝２０２ａ、２０２ａ、・・・のピッチをＰ２とすると、Ｐ１＝Ｎ×Ｐ２と言う条件を満足するように第１のディスクカートリッジ１００と第２のディスクカートリッジ２００が構成されている。Ｎは自然数である。
【００８７】
また、第１のディスクカートリッジ１００に対するシート状ディスク記録媒体３００、３００、・・・の収納枚数が第２のディスクカートリッジ２００に対する円板状ディスク記録媒体４００、４００、・・・の収納枚数のＮ倍にされている。
【００８８】
例えば、第１のディスクカートリッジ１００と第２のディスクカートリッジ２００において、Ｐ１＝０．７ｍｍ、Ｐ２＝２．１ｍｍ、Ｎ＝３、第１のディスクカートリッジ１００に対するシート状ディスク記録媒体３００、３００、・・・の収納枚数が９枚、第２のディスクカートリッジ２００に対する円板状ディスク記録媒体４００、４００、・・・の収納枚数が３枚にされている。
【００８９】
第１のディスクカートリッジ１００と第２のディスクカートリッジ２００が上記した条件を満足することにより、両者の機械的な互換性を確保することができる。
【００９０】
従って、例えば、第２のディスクカートリッジ２００がカートリッジ装着部２ａに装着されたときの円板状ディスク記録媒体４００、４００、・・・の上下方向における位置を、第１のディスクカートリッジ１００がカートリッジ装着部２ａに装着されたときの何れかのシート状ディスク記録媒体３００、３００、・・・の位置に合致させることが可能である。また、シート状ディスク記録媒体３００又は円板状ディスク記録媒体４００がディスク搬送機構７００によって第１のディスクカートリッジ１００又は第２のディスクカートリッジ２００から取り出される上記した取出位置を、シート状ディスク記録媒体３００と円板状ディスク記録媒体４００において共通の一箇所の位置に容易に設定することが可能となる。さらに、カートリッジ昇降機構５００による第１のディスクカートリッジ１００及び第２のディスクカートリッジ２００に対する昇降動作に関する制御を簡素化することも可能となる。
【００９１】
ディスクドライブ装置１においては、第１のディスクカートリッジ１００と第２のディスクカートリッジ２００にそれぞれ収納されるシート状ディスク記録媒体３００と円板状ディスク記録媒体４００に関して以下のような番地の読替制御が行われる。
【００９２】
第１のディスクカートリッジ１００の保持溝１０２ａ、１０２ａ、・・・の番地をＩとし、第２のディスクカートリッジ２００の保持溝２０２ａ、２０２ａ、・・・の番地をＪとする。Ｉ、Ｊとも０以上の整数である。例えば、上記したように、Ｉ＝０〜８、Ｊ＝０〜２とされ、第１のディスクカートリッジ１００の最も下方に位置する保持溝１０２ａ、１０２ａの番地がＩ＝０、第２のディスクカートリッジ２００の最も下方に位置する保持溝２０２ａ、２０２ａの番地がＪ＝０とされている。
【００９３】
このときＩ＝Ｎ×Ｊの読替制御が行われる。このような番地の読替制御を行うことにより、カートリッジ昇降機構５００の第１のディスクカートリッジ１００及び第２のディスクカートリッジ２００に対する昇降動作に関する制御やディスク搬送機構７００による第１のディスクカートリッジ１００と第２のディスクカートリッジ２００に対するシート状ディスク記録媒体３００と円板状ディスク記録媒体４００の取出動作及び収納動作に関する制御をシート状ディスク記録媒体３００と円板状ディスク記録媒体４００において共通化することが可能となる。
【００９４】
＜ディスクチャッキング機構の構成＞
ディスクチャッキング機構６００はスピンドルモーター４とディスクテーブル５とスタビライザー６とチャッキングキャップ７を有している（図４参照）。
【００９５】
スピンドルモーター４は上下に延びるモーター軸４ａを有し、取付シャーシ８に取り付けられている。スピンドルモーター４はモーター軸４ａが取付シャーシ８から上方へ突出されている。
【００９６】
取付シャーシ８には側方へ突出された被支持ピン８ａ、８ａが前後に離隔して設けられている。取付シャーシ８はシャーシ支持板９に上下方向へ移動自在に支持されている。
【００９７】
シャーシ支持板９には前後に離隔して案内孔９ａ、９ａが形成され、該案内孔９ａ、９ａは上下に延びるように形成されている。シャーシ支持板９の案内孔９ａ、９ａにはそれぞれ取付シャーシ８の被支持ピン８ａ、８ａが摺動自在に支持されている。従って、取付シャーシ８は被支持ピン８ａ、８ａがそれぞれ案内孔９ａ、９ａに案内されてスピンドルモーター４と一体になって上下方向へ移動される。
【００９８】
取付シャーシ８の被支持ピン８ａ、８ａはそれぞれシャーシ支持板９の案内孔９ａ、９ａを貫通されている。
【００９９】
取付シャーシ８の被支持ピン８ａ、８ａは前後方向へ移動可能とされたカム板１０に摺動自在に支持されている。
【０１００】
カム板１０には前後に延びる伝達ギヤ１１が設けられている。カム板１０には前後に離隔してカム溝１２、１２が形成されている。カム溝１２は前後に延びる下側水平部１２ａと該下側水平部１２ａの一端に連続された下側傾斜部１２ｂと該下側水平部１２ｂの上端に連続された中側水平部１２ｃと該中側水平部１２ｃの一端に連続された上側傾斜部１２ｄと該上側傾斜部１２ｄの上端に連続された上側水平部１２ｅとから成る。
【０１０１】
カム板１０が移動方向における後端に位置されているときには取付シャーシ８の被支持ピン８ａ、８ａがそれぞれカム板１０におけるカム溝１２、１２の下側水平部１２ａ、１２ａに係合され、取付シャーシ８とスピンドルモーター４が移動方向における下端に位置されている。
【０１０２】
カム板１０が移動方向における中央に位置されているときには取付シャーシ８の被支持ピン８ａ、８ａがそれぞれカム板１０におけるカム溝１２、１２の中側水平部１２ｃ、１２ｃに係合され、取付シャーシ８とスピンドルモーター４が移動方向における上下の中央に位置されている。
【０１０３】
カム板１０が移動方向における前端に位置されているときには取付シャーシ８の被支持ピン８ａ、８ａがそれぞれカム板１０におけるカム溝１２、１２の上側水平部１２ｅ、１２ｅに係合され、取付シャーシ８とスピンドルモーター４が移動方向における上端に位置されている。
【０１０４】
カム板１０の下方には第１の位置検出スイッチ１３と第２の位置検出スイッチ１４と第３の位置検出スイッチ１５が前後に離隔して配置されている。第１の位置検出スイッチ１３と第２の位置検出スイッチ１４と第３の位置検出スイッチ１５は前後方向へ移動されるカム板１０によって操作される。
【０１０５】
カム板１０が後端に位置されているときには第１の位置検出スイッチ１３のみが操作されてオンになり、取付シャーシ８とスピンドルモーター４が下端に位置されていることが検出される。
【０１０６】
カム板１０が前後の中央に位置されているときには第１の位置検出スイッチ１３と第２の位置検出スイッチ１４が操作されてそれぞれオンになり、取付シャーシ８とスピンドルモーター４が上下の中央に位置されていることが検出される。
【０１０７】
カム板１０が前端に位置されているときには第１の位置検出スイッチ１３と第２の位置検出スイッチ１４と第３の位置検出スイッチ１５が操作されてそれぞれオンになり、取付シャーシ８とスピンドルモーター４が上端に位置されていることが検出される。
【０１０８】
カム板１０は駆動モーター１６の駆動力によって前後方向へ移動される。駆動モーター１６のモーター軸１６ａにはプーリー１７が固定され、該プーリー１７とギヤ付プーリー１８がベルト１９によって連結されている。
【０１０９】
ギヤ付プーリー１８はプーリー部１８ａと該プーリー部１８ａの中心部に設けられたギヤ部１８ｂとを有し、プーリー部１８ａにベルト１９が巻回されている。ギヤ付プーリー１８のギヤ部１８ｂはカム板１０の伝達ギヤ１１に噛合されている。
【０１１０】
駆動モーター１６が回転されると、その駆動力がプーリー１７、ベルト１９及びギヤ付プーリー１８を介してカム板１０に伝達され、伝達ギヤ１１が駆動モーター１６の回転方向に応じて前後方向へ送られてカム板１０が前後方向へ移動される。カム板１０が前後方向へ移動されると、上記したように、取付シャーシ８における被支持ピン８ａ、８ａのカム溝１２、１２に対する係合位置が変化され取付シャーシ８とスピンドルモーター４が一体になって上下方向へ移動される。
【０１１１】
ディスクテーブル５はスピンドルモーター４のモーター軸４ａに固定されている。ディスクテーブル５は円板状のテーブル部５ａと該テーブル部５ａの中心部から上方へ突出されたセンターリング突部５ｂとから成る。
【０１１２】
センターリング突部５ｂの上端寄りの位置にはマグネット２０が埋め込まれた状態で取り付けられている。尚、センターリング突部５ｂには磁性体が取り付けられていてもよい。また、センターリング突部５ｂには図示しない磁気回路が形成されている。
【０１１３】
ディスクテーブル５は取付シャーシ８とスピンドルモーター４の上下方向への移動に伴って上下方向へ移動される。ディスクテーブル５は、スピンドルモーター４が下端に位置されているときに下方の移動端であるディスクローディング位置にある。また、ディスクテーブル５は、スピンドルモーター４が上端に位置されているときに上方の移動端である第１のチャッキング位置にあり、スピンドルモーター４が上下の中央に位置されているときに上下の中間の位置である第２のチャッキング位置にある。
【０１１４】
ディスクテーブル５の上方には上下方向を向く支持板２１が配置されている。支持板２１には上下に貫通された支持孔２１ａが形成されている。
【０１１５】
スタビライザー６は支持板２１に対して回転可能とされている。スタビライザー６は上下に延びる略円筒状の軸部２２と該軸部２２の上端部から外方へ張り出されたフランジ部２３と軸部２２の下端部から外方へ張り出された吸着部２４とが金属材料によって一体に形成されて成る。
【０１１６】
スタビライザー６は、軸部２３の外径が支持孔２３ａの径より小さくされ、フランジ部２３と吸着部２４の外径が支持孔２１ａの径より大きくされ、吸着部２４の外径がフランジ部２３の外径より大きくされている。スタビライザー６はフランジ部２３と吸着部２４の間隔が支持板２３の厚みより大きくされている。
【０１１７】
軸部２２の内周面における上半部は規制面２２ａとして形成されている（図５参照）。規制面２２ａは内方に凹の曲面状に形成されている。軸部２２には規制面２２ａの下端に連続して下方を向くストッパー面２２ｂが形成されている。軸部２２には上下に貫通された空気孔２２ｃ、２２ｃ、・・・が周方向に等間隔に離隔して形成されている。
【０１１８】
吸着部２４の下面は吸着面２４ａとして形成されている。
【０１１９】
スタビライザー６は軸部２２が支持板２１の支持孔２１ａを挿通され、フランジ部２３が支持板２１の上方に位置され、吸着部２４が支持板２１の下方に位置される。
【０１２０】
チャッキングキャップ７は上下に延びる略筒状に形成され、上端部を除く部分が本体部２５として設けられている（図４及び図５参照）。チャッキングキャップ７の上端部には本体部２５から外側へ張り出された外フランジ部２６と本体部２５から内側へ張り出された内フランジ部２７とが設けられている。
【０１２１】
本体部２５には、内周部に上方を向く第１のストッパー面２５ａが形成され、外周部に上方を向く第２のストッパー面２５ｂが形成され、第１のストッパー面２５ａが第２のストッパー面２５ｂより上方に位置されている。本体部２５における第１のストッパー面２５ａと内フランジ部２７の間の空間は移動空間２５ｃとして形成されている。
【０１２２】
本体部２５の内周部には上端寄りの位置に第１のラッチ２８、２８、・・・が周方向に離隔して配置されている。第１のラッチ２８、２８、・・・は移動空間２５ｃの上下方向における中央に対応する位置に配置されている。第１のラッチ２８は本体部２５の中心に対して離接する方向へ移動可能とされ、バネ２９によって本体部２５の中心に近付く方向へ付勢されている（図５参照）。
【０１２３】
本体部２５の外周部には第２のストッパー面２５ｂの稍上側の位置に第２のラッチ３０、３０、・・・が周方向に離隔して配置されている。第２のラッチ３０は本体部２５の中心に対して離接する方向へ移動可能とされ、バネ３１によって本体部２５の中心から離隔する方向へ付勢されている。
【０１２４】
チャッキングキャップ７はスタビライザー６に対して上下方向へ移動可能とされ、スタビライザー６に結合されて該スタビライザー６と一体となって回転される結合位置とスタビライザー６から離脱される離脱位置との間で移動される。
【０１２５】
チャッキングキャップ７はスタビライザー６の規制面２２ａに第２のラッチ３０、３０、・・・が係合することにより結合位置に保持される。結合位置においてはスタビライザー６のストッパー面２２ｂとチャッキングキャップ７の第２のストッパー面２５ｂとが接してチャッキングキャップ７のスタビライザー６に対する上方への移動が規制されている。
【０１２６】
結合位置においてチャッキングキャップ７に下方への移動力が付与されると、第２のラッチ３０、３０、・・・が規制面２２ａに摺動され、第２のラッチ３０、３０、・・・が規制面２２ａから下方に外れることによりチャッキングキャップ７がスタビライザー６から離脱されて離脱位置まで移動される。離脱位置においてはスタビライザー６の上面とチャッキングキャップ７の外フランジ部２６の下面とが接してチャッキングキャップ７のスタビライザー６に対する下方への移動が規制されている。
【０１２７】
逆に、離脱位置においてチャッキングキャップ７に上方への移動力が付与されると、第２のラッチ３０、３０、・・・が規制面２２ａの下縁に接して内方へ移動され、続いて、規制面２２ａに摺動されて係合されることによりチャッキングキャップ７が結合位置まで移動されてスタビライザー６に結合される。
【０１２８】
チャッキングキャップ７の内部には磁性体３２が上下方向へ移動自在に支持されている。尚、チャッキングキャップ７の内部にはマグネットが支持されていてもよい。磁性体３２は、例えば、円柱状に形成され、移動空間２５ｃにおいて第１のラッチ２８、２８、・・・を基準として第１の保持位置と第２の保持位置の間で上下方向へ移動される。
【０１２９】
磁性体３２は下面の外周縁が第１のラッチ２８、２８、・・・に係合することにより第１の保持位置に保持される。第１の保持位置においては磁性体３２の上面の外周部とチャッキングキャップ７の内フランジ部２７の下面とが接して磁性体３２のチャッキングキャップ７に対する上方への移動が規制されている。
【０１３０】
第１の保持位置において磁性体３２に下方への移動力が付与されると、磁性体３２の外周面が第１のラッチ２８、２８、・・・に摺動され、該第１のラッチ２８、２８、・・・がバネ２９、２９、・・・の付勢力に抗して外方へ変位される。磁性体３２における下面の外周部がチャッキングキャップ７の第１のストッパー面２５ａに接して第２の保持位置に移動される。第２の保持位置においては磁性体３２の上面の外周縁と第１のラッチ２８、２８、・・・とが接して磁性体３２のチャッキングキャップ７に対する上方への移動が規制されている。
【０１３１】
逆に、第２の保持位置において磁性体３２に上方への移動力が付与されると、磁性体３２の外周面が第１のラッチ２８、２８、・・・に摺動され、該第１のラッチ２８、２８、・・・がバネ２９、２９、・・・の付勢力によって内方へ変位される。磁性体３２における上面の外周部がチャッキングキャップ７の内フランジ部２７の下面に接して第１の保持位置に移動される。
【０１３２】
チャッキングキャップ７の上方には上下方向を向く支持シャーシ３３が配置され、該支持シャーシ３３には上下に貫通されたピン支持孔３３ａが形成されている。支持シャーシ３３にはピン支持孔３３ａに押圧ピン３４が上下方向へ移動自在に支持されている。
【０１３３】
押圧ピン３４は円板状の被作用部３４ａと該被作用部３４ａの中央部から下方へ突出された押圧軸部３４ｂとから成る。押圧ピン３４の押圧軸３４ｂには付勢バネ３５が支持され、該付勢バネ３５によって押圧ピン３４が上方へ付勢されている。
【０１３４】
押圧ピン３４は押圧軸部３４ｂの一部が支持シャーシ３３のピン支持孔３３ａを挿通されて下方へ突出されている。
【０１３５】
押圧ピン３４はピン駆動機構３６によって上下方向へ移動される。ピン駆動機構３６はモーター３７と小プーリー３８と伝達プーリー３９とベルト４０とカムギヤ４１を有している（図４及び図６参照）。
【０１３６】
モーター３７は支持シャーシ３３の上面に固定されている。モーター３７のモーター軸３７ａには小プーリー３８が固定されている。
【０１３７】
伝達プーリー３９はプーリー部３９ａと該プーリー部３９ａの中心部に設けられたギヤ部３９ｂとから成り、支持シャーシ３３に支持軸４２を介して回転自在に支持されている。
【０１３８】
ベルト４０はモーター３７のモーター軸３７ａに固定された小プーリー３８と伝達プーリー３９のプーリー部３９ａとに巻回され、モーター３７と伝達プーリー３９を連結している。
【０１３９】
カムギヤ４１は回転軸４３を介して支持シャーシ３３に回転自在に支持されている。カムギヤ４１は平ギヤ部４４と該平ギヤ部４４の下面に設けられたカム部４５とから成る。
【０１４０】
カム部４５は、図４及び図６に示すように、平ギヤ部４４の周方向において高さが異なる第１のカム面４５ａと第２のカム面４５ｂと第３のカム面４５ｃを有している。第１のカム面４５ａは最も高い位置にあり、第２のカム面４５ｂは中間の位置にあり、第３のカム面４５ｃは最も低い位置にある。
【０１４１】
カム部４５は押圧ピン３４における被作用部３４ａの上面に摺接され、押圧ピン３４は被作用部３４ａのカム部４５との接触位置に応じて上下方向へ移動される。従って、押圧ピン３４は、被作用部３４ａが第１のカム面４５ａに接した状態において上方の移動端に移動され、被作用部３４ａが第２のカム面４５ｂに接した状態において中間の位置に移動され、被作用部３４ａが第３のカム面４５ｃに接した状態において下方の移動端に移動される。
【０１４２】
カムギヤ４１の平ギヤ部４４には、図６に示すように、それぞれ所定の位置に第１の検出孔４４ａと第２の検出孔４４ｂと第３の検出孔４４ｃが形成されている。第１の検出孔４４ａと第２の検出孔４４ｂと第３の検出孔４４ｃはそれぞれ周方向に離隔した位置に形成されている。第１の検出孔４４ａと第２の検出孔４４ｂと第３の検出孔４４ｃは順に平ギヤ部４４の中心に近い側から形成されている。
【０１４３】
カムギヤ４１の上方には第１のスイッチ４６と第２のスイッチ４７と第３のスイッチ４８が平ギヤ部４４の半径方向に並んで順に中心に近い側から配置されている。
【０１４４】
カムギヤ４１の回転により第１の検出孔４４ａが第１のスイッチ４６の真下に位置されると、該第１のスイッチ４６のみがオフになる。このときカム部４５の第１のカム面４５ａが押圧ピン３４の被作用部３４ａに接しており、押圧ピン３４が上方の移動端に位置されていることが検出される。
【０１４５】
カムギヤ４１の回転により第２の検出孔４４ｂが第２のスイッチ４７の真下に位置されると、該第２のスイッチ４７のみがオフになる。このときカム部４５の第２のカム面４５ｂが押圧ピン３４の被作用部３４ａに接しており、押圧ピン３４が上下の中間に位置されていることが検出される。
【０１４６】
カムギヤ４１の回転により第３の検出孔４４ｃが第３のスイッチ４８の真下に位置されると、該第３のスイッチ４８のみがオフになる。このときカム部４５の第３のカム面４５ｃが押圧ピン３４の被作用部３４ａに接しており、押圧ピン３４が下方の移動端に位置されていることが検出される。
【０１４７】
＜ディスクチャッキング機構の動作＞
以下に、ディスクチャッキング機構６００の動作について説明する（図８乃至図１７参照）。
【０１４８】
先ず、ディスクチャッキング機構６００がシート状ディスク記録媒体３００及び円板状ディスク記録媒体４００をチャッキングする前の初期状態について説明する（図８参照）。
【０１４９】
初期状態において、スピンドルモーター４は移動方向における下端に位置されディスクテーブル５が下方の移動端であるディスクローディング位置にある。
【０１５０】
スタビライザー６はフランジ部２３の下面が支持板２１の上面に接した状態とされ移動範囲における下端に位置されている。
【０１５１】
チャッキングキャップ７は結合位置にあり、スタビライザー６の規制面２２ａに第２のラッチ３０、３０、・・・が係合されている。このときスタビライザー６のストッパー面２２ｂとチャッキングキャップ７の第２のストッパー面２５ｂとが接してチャッキングキャップ７のスタビライザー６に対する上方への移動が規制されている。
【０１５２】
磁性体３２は第１の保持位置においてチャッキングキャップ７に保持されている。
【０１５３】
押圧ピン３４は被作用部３４ａがカムギヤ４１におけるカム部４５の第１のカム面４５ａに接して上方の移動端に位置されている。
【０１５４】
上記した初期状態において、図８に示すように、シート状ディスク記録媒体３００がディスク搬送機構７００によって第１のディスクカートリッジ１００から取り出されてディスク装着位置まで搬送されると、駆動モーター１６の回転によってスピンドルモーター４とディスクテーブル５が一体になって上方へ移動されていく。
【０１５５】
ディスクテーブル５の上方への移動によりセンターリング突部５ｂがシート状ディスク記録媒体３００の中心孔３００ａに挿入され、シート状ディスク記録媒体３００がテーブル部５ａに装着される。
【０１５６】
ディスクテーブル５はさらに上方へ向けて第１のチャッキング位置まで移動され、センターリング突部５ｂがチャッキングキャップ７の軸部２２に挿入されて第１の保持位置に保持されている磁性体３２がマグネット２０に吸着される。磁性体３２がマグネット２０に吸着されることにより、チャッキングキャップ７の軸部２２とディスクテーブル５のテーブル部５ａとによってシート状ディスク記録媒体３００の内周部が挟持され、シート状ディスク記録媒体３００に対するチャッキングが完了する（図９参照）。
【０１５７】
シート状ディスク記録媒体３００がチャッキングされた状態においては、チャッキングキャップ７及びスタビライザー６をディスクテーブル５が所定の位置まで上方へ押し上げており、スタビライザー６が支持板２１から離隔される。従って、スタビライザー６は支持板２１に接することなく回転可能な状態とされている。
【０１５８】
スタビライザー６の吸着面２４ａとシート状ディスク記録媒体３００の上面との間には僅かな隙間、例えば、０．１ｍｍ程度の隙間が生じており、吸着面２４ａとシート状ディスク記録媒体３００の間に内周側から外周側へ向かう空気の流れが生じる状態とされている。
【０１５９】
チャッキングされたシート状ディスク記録媒体３００はスピンドルモーター４の回転に伴うディスクテーブル５の回転によって、該ディスクテーブル５、スタビライザー６及びチャッキングキャップ７と一体になって回転され情報信号の記録又は再生が行われる。このときスタビライザー６の空気孔２２ｃ、２２ｃ、・・・に空気が流入し吸着面２４ａとシート状ディスク記録媒体３００の間に内周側から外周側へ向かう空気の流れによる負圧が発生する。シート状ディスク記録媒体３００は、発生した負圧によって吸着面２４ａに沿って平行な状態とされ面ぶれを生じることなく回転される。
【０１６０】
シート状ディスク記録媒体３００に対する情報信号の記録又は再生が終了しスピンドルモーター４の回転が停止されると、駆動モーター１６の回転によってスピンドルモーター４とディスクテーブル５が一体になって下方へ移動されていく。スピンドルモーター４とディスクテーブル５の下方への移動によりスタビライザー６とチャッキングキャップ７が下方へ移動され、スタビライザー６はフランジ部２３の下面が支持板２１の上面に接した状態とされ、スタビライザー６及びチャッキングキャップ７が初期状態に戻る。
【０１６１】
スピンドルモーター４とディスクテーブル５の下方への移動により、シート状ディスク記録媒体３００はディスク装着位置まで下方へ移動されてディスク搬送機構７００に保持される。
【０１６２】
スピンドルモーター４とディスクテーブル５はさらに下方へ移動され、スピンドルモーター４が移動方向における下端に位置されディスクテーブル５が下方の移動端であるディスクローディング位置に移動されて初期状態に戻る。
【０１６３】
ディスク装着位置においてディスク搬送機構７００に保持されたシート状ディスク記録媒体３００は、ディスク搬送機構７００によって搬送されて第１のディスクカートリッジ１００に収納される。
【０１６４】
一方、上記した初期状態において、図１０に示すように、円板状ディスク記録媒体４００がディスク搬送機構７００によって第２のディスクカートリッジ２００から取り出されてディスク装着位置まで搬送されると、モーター３７の回転によって押圧ピン３４が下方へ移動されていく。このときカムギヤ４１はモーター３７の回転に伴って回転され押圧ピン３４の被作用部３４ａに順に第１のカム面４５ａ、第２のカム面４５ｂ、第３のカム面４５ｃが順に接していく。
【０１６５】
押圧ピン３４が下方へ移動されていくと、該押圧ピン３４の押圧軸部３４ｂがチャッキングキャップ７の軸部２２に挿入され、第１の保持位置に保持されている磁性体３２が押圧軸部３４ｂによって下方へ押圧される。磁性体３２は押圧ピン３４の押圧によって下方へ移動され、磁性体３２の外周面が第１のラッチ２８、２８、・・・に摺動され該第１のラッチ２８、２８、・・・がバネ２９、２９、・・・の付勢力に抗して外方へ変位される。
【０１６６】
磁性体３２の上縁が第１のラッチ２８、２８、・・・の下側に位置されたところで該第１のラッチ２８、２８、・・・がバネ２９、２９、・・・の付勢力によって内方へ変位され、磁性体３２の上縁が第１のラッチ２８、２８、・・・に係合されて第２の保持位置に保持される（図１１参照）。磁性体３２は第２の保持位置において下面の外周部がチャッキングキャップ７の第１のストッパー面２５ａに接する。
【０１６７】
押圧ピン３４はさらにモーター３７の回転によって下方へ移動されていき、磁性体３２を下方へ押圧する。押圧ピン３４による磁性体３２に対する下方への押圧によって第１のストッパー面２５ａが下方へ押圧される。
【０１６８】
チャッキングキャップ７は磁性体３２に対する押圧ピン３４の押圧によって磁性体３２と一体になって下方へ移動され、スタビライザー６の規制面２２ａに対して第２のラッチ３０、３０、・・・が摺動され該第２のラッチ３０、３０、・・・がバネ３１、３１、・・・の付勢力に抗して内方へ変位される。
【０１６９】
第２のラッチ３０、３０、・・・がスタビライザー６のストッパー面２２ｂに対応して位置されたところで該第２のラッチ３０、３０、・・・がバネ３１、３１、・・・の付勢力によって外方へ変位され、チャッキングキャップ７がスタビライザー６から離脱される。チャッキングキャップ７はスタビライザー６から離脱されてさらに下方へ移動され、外フランジ部２６がスタビライザー６における軸部２２の上面に接して下方への移動が停止され離脱位置まで移動される（図１２参照）。チャッキングキャップ７が離脱位置まで移動されたときには、カムギヤ４１は押圧ピン３４の被作用部３４ａに第３のカム面４５ｃが接している。
【０１７０】
チャッキングキャップ７が離脱位置まで移動されると、続いて、駆動モーター１６が回転され、該駆動モーター１６の回転によってスピンドルモーター４とディスクテーブル５が一体になって上方へ移動されていく。
【０１７１】
ディスクテーブル５の上方への移動によりセンターリング突部５ｂが円板状ディスク記録媒体４００の中心孔４００ａに挿入され、円板状ディスク記録媒体４００がテーブル部５ａに装着される。
【０１７２】
ディスクテーブル５はさらに上方へ向けて第２のチャッキング位置まで移動され、センターリング突部５ｂがチャッキングキャップ７の軸部２２に挿入されて第２の保持位置に保持されている磁性体３２がマグネット２０に吸着される。磁性体３２がマグネット２０に吸着されることにより、チャッキングキャップ７の軸部２２とディスクテーブル５のテーブル部５ａとによって円板状ディスク記録媒体４００の内周部が挟持され、円板状ディスク記録媒体４００に対するチャッキングが完了する（図１３参照）。
【０１７３】
円板状ディスク記録媒体４００がチャッキングされた状態においては、チャッキングキャップ７がスタビライザー６から離脱されており、また、チャッキングキャップ７をディスクテーブル５が所定の位置まで上方へ押し上げておりチャッキングキャップ７の外フランジ部２６がスタビライザー６から上方へ離隔されている。従って、チャッキングキャップ７はスタビライザー６に接することなく回転可能な状態とされている。
【０１７４】
チャッキングされた円板状ディスク記録媒体４００はスピンドルモーター４の回転に伴うディスクテーブル５の回転によって、該ディスクテーブル５及びチャッキングキャップ７と一体になって回転され情報信号の記録又は再生が行われる。
【０１７５】
円板状ディスク記録媒体４００に対する情報信号の記録又は再生が終了しスピンドルモーター４の回転が停止されると、駆動モーター１６の回転によってスピンドルモーター４とディスクテーブル５が一体になって下方へ移動されていく。スピンドルモーター４とディスクテーブル５の下方への移動によりチャッキングキャップ７が下方へ移動され、該チャッキングキャップ７は外フランジ部２６の下面がスタビライザー６の上面に接した状態とされる。
【０１７６】
スピンドルモーター４とディスクテーブル５の下方への移動により、円板状ディスク記録媒体４００はディスク装着位置まで下方へ移動されてディスク搬送機構７００に保持される。
【０１７７】
スピンドルモーター４とディスクテーブル５はさらに下方へ移動され、スピンドルモーター４が移動方向における下端に位置されディスクテーブル５が下方の移動端であるディスクローディング位置に移動されて初期状態に戻る。
【０１７８】
ディスク装着位置においてディスク搬送機構７００に保持された円板状ディスク記録媒体４００は、ディスク搬送機構７００によって搬送されて第２のディスクカートリッジ２００に収納される。
【０１７９】
円板状ディスク記録媒体４００がディスク搬送機構７００によってディスクローディング位置から第２のディスクカートリッジ２００へ向けて搬送されていくと、モーター３７の回転によってカムギヤ４１の第１のカム面４５ａが押圧ピン３４の被作用部３４ａに接する位置まで回転される。従って、押圧ピン３４は上方へ移動されて初期状態に戻る（図１４参照）。
【０１８０】
続いて、再び、駆動モーター１６が回転され、該駆動モーター１６の回転によって再びスピンドルモーター４とディスクテーブル５が一体になって上方へ移動されていく。
【０１８１】
ディスクテーブル５の上方への移動によりセンターリング突部５ｂがチャッキングキャップ７の軸部２２に挿入されて第２の保持位置に保持されている磁性体３２を上方へ押圧する。磁性体３２がセンターリング突部５ｂによって上方へ押圧されるとチャッキングキャップ７が磁性体３２と一体になって上方へ移動されていく。チャッキングキャップ７が磁性体３２と一体になって上方へ移動されていくと、第２のラッチ３０、３０、・・・がスタビライザー６のストッパー面２２ｂに接してチャッキングキャップ７と磁性体３２とスタビライザー６が一体になって上方へ移動されていく。スタビライザー６は吸着部２４が支持板２１の下面に接して上方への移動が停止される（図１５参照）。
【０１８２】
磁性体３２はさらにディスクテーブル５のセンターリング突部５ｂによって上方へ押圧され、磁性体３２がチャッキングキャップ７に対して上方へ移動されていく。磁性体３２がチャッキングキャップ７に対して上方へ移動されていくときには、磁性体３２の外周面が第１のラッチ２８、２８、・・・に摺動され該第１のラッチ２８、２８、・・・がバネ２９、２９、・・・の付勢力に抗して外方へ変位される。
【０１８３】
磁性体３２の下縁が第１のラッチ２８、２８、・・・の上側に位置されたところで該第１のラッチ２８、２８、・・・がバネ２９、２９、・・・の付勢力によって内方へ変位され、磁性体３２の下縁が第１のラッチ２８、２８、・・・に係合されて第１の保持位置に保持される（図１６参照）。
【０１８４】
磁性体３２はさらにディスクテーブル５のセンターリング突部５ｂによって上方へ押圧されチャッキングキャップ７と磁性体３２が一体になってスタビライザー６に対して上方へ移動され、第２のラッチ３０、３０、・・・が規制面２２ａに係合されてチャッキングキャップ７が再びスタビライザー６に結合されて結合位置に戻る（図１７参照）。チャッキングキャップ７がスタビライザー６に結合されたときには、チャッキングキャップ７の第２のストッパー面２５ｂがスタビライザー６のストッパー面２２ｂに接した状態とされる。
【０１８５】
チャッキングキャップ７がスタビライザー６に結合されると、駆動モーター１６が反転されてスピンドルモーター４とディスクテーブル５が再び一体になって下方へ移動されていく。スピンドルモーター４とディスクテーブル５の下方への移動によりチャッキングキャップ７と磁性体３２とスタビライザー６が一体になって下方へ移動され、スタビライザー６のフランジ部２３の下面が支持板２１の上面に接した状態とされ、スタビライザー６及びチャッキングキャップ７が初期状態に戻る。
【０１８６】
スピンドルモーター４とディスクテーブル５はさらに下方へ移動され、スピンドルモーター４が移動方向における下端に位置されディスクテーブル５が下方の移動端であるディスクローディング位置に移動されて初期状態に戻る（図１８参照）。
【０１８７】
尚、上記には、押圧ピン３４の下方への移動によって、先に磁性体３２が第１の保持位置から第２の保持位置に移動され、後にチャッキングキャップ７がスタビライザー６から離脱される例を示した。しかしながら、逆に、押圧ピン３４の下方への移動によって、先にチャッキングキャップ７がスタビライザー６から離脱され、後に磁性体３２が第１の保持位置から第２の保持位置に移動されるようにしてもよい。また、この場合には、ディスクテーブル５の上方への移動によって、先にチャッキングキャップ７がスタビライザー６に結合され、後に磁性体３２が第２の保持位置から第１の保持位置に移動されるようにすることが可能である。
【０１８８】
＜まとめ＞
以上に記載した通り、ディスクドライブ装置１にあっては、シート状ディスク記録媒体３００の回転時にはスタビライザー６がシート状ディスク記録媒体３００と一体になって回転されるが、シート状ディスク記録媒体３００より重量の大きな円板状ディスク記録媒体４００の回転時にはチャッキングキャップ７がスタビライザー６から離脱される。
【０１８９】
従って、円板状ディスク記録媒体４００の回転時にはスタビライザー６が回転されず、円板状ディスク記録媒体４００の回転時におけるスピンドルモーター４に対する負荷が大きくならずイナーシャの増大を回避することができる。
【０１９０】
このように円板状ディスク記録媒体４００の回転時にスピンドルモーター４に対する負荷が大きくならないため、円板状ディスク記録媒体４００の回転時における振動の発生を抑制することができると共に高速回転を行うことができる。
【０１９１】
また、シート状ディスク記録媒体３００に対する情報信号の記録時や再生時と円板状ディスク記録媒体４００に対する情報信号の記録時や再生時とにおいてスピンドルモーター４に対する負荷を同一にすることが可能になる。従って、シート状ディスク記録媒体３００と円板状ディスク記録媒体４００に対するサーボ制御において、サーボ定数の設定値を変更する等の各別の制御を行う必要がなく、設計の容易化を図ることができる。
【０１９２】
さらに、チャッキングキャップ７のスタビライザー６からの離脱を上下方向へ移動される押圧ピン３４によって行っているため、簡単な機構によってチャッキングキャップ７がスタビライザー６から離脱され、離脱機構の簡素化を図ることができる。
【０１９３】
さらにまた、シート状ディスク記録媒体３００がチャッキングされたときには磁性体３２が第１の保持位置に保持され、円板状ディスク記録媒体４００がチャッキングされたときには磁性体３２が第２の保持位置に保持されるため、シート状ディスク記録媒体３００と円板状ディスク記録媒体４００の厚みの相違に応じて磁性体３２が移動される。従って、ディスクテーブル５とチャッキングキャップ７によるシート状ディスク記録媒体３００に対するチャッキングと円板状ディスク記録媒体４００に対するチャッキングとを同一の保持力によって行うことが可能になり、シート状ディスク記録媒体３００と円板状ディスク記録媒体４００のチャッキングを適正に行うことができる。
【０１９４】
また、磁性体３２の第１の保持位置から第２の保持位置への移動を押圧ピン３４によって行ているため、簡単な機構によって磁性体３２が第１の保持位置から第２の保持位置へ移動され、機構の簡素化を図ることができる。
【０１９５】
さらに、磁性体３２の第１の保持位置から第２の保持位置への移動とチャッキングキャップ７の結合位置から離脱位置への移動とが連続して行われるため、動作の迅速化及び機構の簡素化を図ることができる。
【０１９６】
さらにまた、ディスクテーブル５がチャッキングキャップ７に近付く方向へ移動されたときに磁性体３２がディスクテーブル５に押圧されてチャッキングキャップ７がスタビライザー６に結合される。従って、チャッキングキャップ７をスタビライザー６に結合するための専用の機構を必要とせず、機構の簡素化を図ることができる。
【０１９７】
加えて、ディスクテーブル５がチャッキングキャップ７に近付く方向へ移動されたときに磁性体３２がディスクテーブル５に押圧されて第２の保持位置から第１の保持位置に移動される。従って、磁性体３２を第２の保持位置から第１の保持位置に移動するための専用の機構を必要とせず、機構の簡素化を図ることができる。
【０１９８】
また、磁性体３２の第２の保持位置から第１の保持位置への移動とチャッキングキャップ７の離脱位置から結合位置への移動とが連続して行われるため、動作の迅速化及び機構の簡素化を図ることができる。
【０１９９】
尚、上記には、シート状ディスク記録媒体３００及び円板状ディスク記録媒体４００が上下方向（垂直方向）を向く向きで動作される例を示したが、シート状ディスク記録媒体３００及び円板状ディスク記録媒体４００の向きが水平方向である場合にも本発明を適用することが可能である。
【０２００】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０２０１】
【図１】図２乃至図１８と共に本発明の最良の形態を示すものであり、本図は、ディスクドライブ装置とディスクカートリッジを示す概略斜視図である。
【図２】第１のディスクカートリッジにシート状ディスク記録媒体が収納された状態を一部を断面にして示す拡大正面図である。
【図３】第２のディスクカートリッジに円板状ディスク記録媒体が収納された状態を一部を断面にして示す拡大正面図である。
【図４】ディスクチャッキング機構等を一部を断面にして示す側面図である。
【図５】チャッキングキャップと磁性体とスタビライザーの一部とを示す拡大断面図である。
【図６】ピン駆動機構とスイッチを示す拡大平面図である。
【図７】カムギヤの拡大展開図である。
【図８】図９と共にシート状ディスク記録媒体に関するディスクチャッキング機構の動作を示すものであり、本図は、シート状ディスク記録媒体がディスク装着位置に搬送された状態を示す断面図である。
【図９】シート状ディスク記録媒体がチャッキングされた状態を示す断面図である。
【図１０】図１１乃至図１８と共に円板状ディスク記録媒体に関するディスクチャッキング機構の動作を示すものであり、本図は、円板状ディスク記録媒体がディスク装着位置に搬送された状態を示す断面図である。
【図１１】磁性体が第１の保持位置から第２の保持位置に移動されて保持された状態を示す断面図である。
【図１２】チャッキングキャップがスタビライザーから離脱された状態を示す断面図である。
【図１３】円板状ディスク記録媒体がチャッキングされた状態を示す断面図である。
【図１４】円板状ディスク記録媒体に対するチャッキングが解除され押圧ピンが上方へ移動された状態を示す断面図である。
【図１５】チャッキングキャップと磁性体とスタビライザーが上方へ移動された状態を示す断面図である。
【図１６】磁性体が第２の保持位置から第１の保持位置に移動されて保持された状態を示す断面図である。
【図１７】チャッキングキャップがスタビライザーに結合された状態を示す断面図である。
【図１８】スピンドルモーターとディスクテーブルが下方へ移動され初期状態に戻った状態を示す断面図である。
【符号の説明】
【０２０２】
１…ディスクドライブ装置、３００…シート状ディスク記録媒体、３０１…ディスクトレイ、４０１…ディスクトレイ、６００…ディスクチャッキング機構、４…スピンドルモーター、４ａ…モーター軸、５…ディスクテーブル、６…スタビライザー、７…チャッキングキャップ、２０…マグネット、２４ａ…吸着面、３２…磁性体、３４…押圧ピン
【図１】
2011123933.tif 000003
【図２】
2011123933.tif 000004
【図３】
2011123933.tif 000005
【図４】
2011123933.tif 000006
【図５】
2011123933.tif 000007
【図６】
2011123933.tif 000008
【図７】
2011123933.tif 000009
【図８】
2011123933.tif 000010
【図９】
2011123933.tif 000011
【図１０】
2011123933.tif 000012
【図１１】
2011123933.tif 000013
【図１２】
2011123933.tif 000014
【図１３】
2011123933.tif 000015
【図１４】
2011123933.tif 000016
【図１５】
2011123933.tif 000017
【図１６】
2011123933.tif 000018
【図１７】
2011123933.tif 000019
【図１８】
2011123933.tif 000020